(57)【要約】【課題】磁性細線でトラックを形成した磁気記録媒体を対象として、磁区の移動によるデータの消失を防ぐと共に、磁性細線の記録層を有効に記録、保存、再生に活用し、実質的に使用されていない空き容量を減少させることができる磁気記録媒体再生装置、これに用いる磁気記録媒体、および、磁気記録媒体再生方法を提供する。【解決手段】パルス電流を、磁性細線５の一端から他端に向かう細線方向に供給する電流供給手段１０と、磁性細線５の書込領域にデータの記録を行うデータ記録手段２０と、読出領域に記録されているデータを再生するデータ再生手段３０と、あふれデータ検出領域に記録されているデータを検出するあふれデータ検出手段４０と、あふれデータ検出手段４０で検出されたデータを、再書込領域に再度記録するあふれデータ再記録手段５０と、を備えることを特徴とする。【選択図】図２
2011123943.tif 000002
【特許請求の範囲】
【請求項１】
基板上に磁性体を細線状に形成してなる磁性細線をデータの記録領域として有して、前記磁性細線に、２値のデータを異なる２方向の磁化のいずれかとして当該磁性細線の細線方向に連続して記録された磁気記録媒体を備えて、前記磁性細線に記録されているデータを再生する磁気記録媒体再生装置であって、
前記磁気記録媒体の前記磁性細線の両端に接続し、前記磁性細線において前記２値の一方のデータを記録された領域と前記２値の他方のデータを記録された領域との間に生成している磁壁を断続的に移動させるパルス電流を、前記磁性細線の一端から他端に向かう細線方向に供給する電流供給手段と、
前記磁性細線に予め定めた読出領域に接続し、前記パルス電流に同期して、前記読出領域に記録されているデータを再生するデータ再生手段と、
前記磁性細線の前記一端側の端部に予め定めたあふれデータ検出領域に接続し、前記パルス電流に同期して、前記あふれデータ検出領域に記録されているデータを検出するあふれデータ検出手段と、
前記磁性細線の前記他端側の端部に予め定めた再書込領域に接続し、前記パルス電流に同期して、前記あふれデータ検出手段で検出されたデータを、前記再書込領域に再度記録するあふれデータ再記録手段と、を備えることを特徴とする磁気記録媒体再生装置。
【請求項２】
前記あふれデータ検出手段は、当該あふれデータ検出手段から、前記あふれデータ再記録手段に、前記あふれデータ検出手段で検出されたデータを伝送し、
前記あふれデータ再記録手段は、前記あふれデータ検出手段から伝送されたデータを、前記再書込領域に再度記録することを特徴とする請求項１に記載の磁気記録媒体再生装置。
【請求項３】
前記磁気記録媒体は、前記基板が円盤形状であり、この基板上に前記磁性細線が円環状に形成され、前記磁性細線が円環の一部を欠いた形状であることを特徴とする請求項１または請求項２に記載の磁気記録媒体再生装置。
【請求項４】
前記磁性細線の幅が、２００ｎｍ以下であることを特徴とする請求項１ないし請求項３のいずれか一項に記載の磁気記録媒体再生装置。
【請求項５】
前記磁性細線において、前記磁壁の移動方向に対して、前記データ再生手段の手前側の位置に予め定めた書込領域に接続し、前記パルス電流に同期して、前記書込領域にデータを記録するデータ記録手段をさらに備えることを特徴とする請求項１ないし請求項４のいずれか一項に記載の磁気記録媒体再生装置。
【請求項６】
請求項１ないし請求項４のいずれか一項に記載の磁気記録媒体再生装置に用いられる磁気記録媒体であって、
前記磁気記録媒体再生装置から脱着可能であり、
前記磁性細線と共に、前記データ再生手段を構成するデータ再生用素子と、前記あふれデータ検出手段を構成するあふれデータ検出用素子と、前記あふれデータ再記録手段を構成するあふれデータ再記録用素子と、を備えて構成されていることを特徴とする磁気記録媒体。
【請求項７】
請求項５に記載の磁気記録媒体再生装置に用いられる磁気記録媒体であって、
前記磁気記録媒体再生装置から脱着可能であり、
前記磁性細線と共に、前記データ記録手段を構成するデータ記録用素子と、前記データ再生手段を構成するデータ再生用素子と、前記あふれデータ検出手段を構成するあふれデータ検出用素子と、前記あふれデータ再記録手段を構成するあふれデータ再記録用素子と、を備えて構成されていることを特徴とする磁気記録媒体。
【請求項８】
基板上に磁性体を細線状に形成してなる磁性細線をデータの記録領域として有して、前記磁性細線に、２値のデータを異なる２方向の磁化のいずれかとして当該磁性細線の細線方向に連続して記録された磁気記録媒体の、前記磁性細線に記録されているデータを再生する磁気記録媒体再生装置の磁気記録媒体再生方法であって、
前記磁気記録媒体の前記磁性細線の両端に接続した電流供給手段によって、前記磁性細線において前記２値の一方のデータを記録された領域と前記２値の他方のデータを記録された領域との間に生成している磁壁を断続的に移動させるパルス電流を、前記磁性細線の一端から他端に向かう細線方向に供給する電流供給工程と、
前記磁性細線に予め定めた読出領域に接続したデータ再生手段によって、前記パルス電流に同期して、前記読出領域に記録されているデータを再生するデータ再生工程と、
前記磁性細線の前記一端側の端部に予め定めたあふれデータ検出領域に接続したあふれデータ検出手段によって、前記パルス電流に同期して、前記あふれデータ検出領域に記録されているデータを検出するあふれデータ検出工程と、
前記磁性細線の前記他端側の端部に予め定めた再書込領域に接続したあふれデータ再記録手段によって、前記パルス電流に同期して、前記あふれデータ検出工程で検出されたデータを、前記再書込領域に再度記録するあふれデータ再記録工程と、を行うことを特徴とする磁気記録媒体再生方法。
【発明の詳細な説明】
【技術分野】
【０００１】
本発明は、磁気記録媒体から磁気的にデータを読み出す再生装置、特にトラックが細線状の磁性体で形成された磁気記録媒体を適用して、パルス電流を供給することでトラック内で磁区を移動させながら再生する磁気記録媒体再生装置、これに用いる磁気記録媒体、および、磁気記録媒体再生方法に関する。
【背景技術】
【０００２】
ハードディスクドライブ（ＨＤＤ）等の記憶装置は、扱われる情報量の増大に伴い、高記録密度化ならびに記録や再生の高速化が進められている。高記録密度化に伴い、ＨＤＤ等に使用される磁気ディスク等の記録媒体のトラックは狭ピッチ化し、このような微小な領域の磁気を検出するために、記録・再生方式はＧＭＲ（Giant MagnetoResistance：巨大磁気抵抗効果）素子等からなる磁気ヘッドによる磁気記録方式が採用されている。
【０００３】
磁気ディスクにおける記録および再生は、ディスクをスピンドルモータで回転駆動させ、磁気ヘッドをディスクの径方向のみに移動させることで、トラックに沿って（ディスクの周方向に）所定方向に磁化する（記録する）、または磁気を検出する（再生する）。このようなディスクにおいて記録および再生を高速化するためには、ディスクの回転速度を速くすることが第一に挙げられる。しかし、記録においてはトラックの磁化、再生においては磁気の検出にそれぞれ要する時間、ならびにディスクの振動による誤動作等の問題から、回転速度の高速化には限界がある。
【０００４】
そこで、記録媒体を駆動させずに記録または再生領域を移動する方法として、特許文献１には、細線状の磁性体（以下、適宜「磁性細線」）をＵ字型等に形成してトラックとしたメモリデバイスが開示されている。これは、磁性体を細線状に形成すると、その長さ方向に磁区が形成され、さらに当該長さ方向に電流を供給すると磁区同士を区切る磁壁がシフト移動する特性を利用したものである。すなわち、トラック（磁性細線）上の所定の一箇所（特許文献１ではＵ字型の頂部）に記録用および再生用の各磁気ヘッドを固定させて、両端から電流を可逆的に供給して所望の磁区をヘッドに対向する位置に移動させる。
【先行技術文献】
【特許文献】
【０００５】
【特許文献１】米国特許第６８３４００５号明細書
【発明の概要】
【発明が解決しようとする課題】
【０００６】
特許文献１では、ランダムアクセス方式によるデータの書換えを可能とするために、Ｕ字型を多数直列に接続した波型の磁性細線をさらに並列に設けて、Ｕ字型の頂部のそれぞれに磁気ヘッドを備える形態としているが、磁性細線を３次元に形成する必要があり、記録媒体の構造が複雑化する。また、この技術では、データの消失を防ぐため、磁性細線の記録層における空き容量が大量に必要となり、磁性細線の半分しかデータの記録および再生に使用できないという問題がある。
【０００７】
本発明は前記問題点に鑑み創案されたもので、磁性細線でトラックを形成した磁気記録媒体を対象として、磁区の移動によるデータの消失を防ぐと共に、磁性細線の記録層を有効に記録、保存、再生に活用し、実質的に使用されていない空き容量を減少させることができる磁気記録媒体再生装置、これに用いる磁気記録媒体、および、磁気記録媒体再生方法を提供することを目的とする。
【課題を解決するための手段】
【０００８】
本発明の請求項１に係る磁気記録媒体再生装置は、基板上に磁性体を細線状に形成してなる磁性細線をデータの記録領域として有して、前記磁性細線に、２値のデータを異なる２方向の磁化のいずれかとして当該磁性細線の細線方向に連続して記録された磁気記録媒体を備えて、前記磁性細線に記録されているデータを再生する磁気記録媒体再生装置であって、前記磁気記録媒体の前記磁性細線の両端に接続し、前記磁性細線において前記２値の一方のデータを記録された領域と前記２値の他方のデータを記録された領域との間に生成している磁壁を断続的に移動させるパルス電流を、前記磁性細線の一端から他端に向かう細線方向に供給する電流供給手段と、前記磁性細線に予め定めた読出領域に接続し、前記パルス電流に同期して、前記読出領域に記録されているデータを再生するデータ再生手段と、前記磁性細線の前記一他端側の端部に予め定めたあふれデータ検出領域に接続し、前記パルス電流に同期して、前記あふれデータ検出領域に記録されているデータを検出するあふれデータ検出手段と、前記磁性細線の前記他端側の端部に予め定めた再書込領域に接続し、前記パルス電流に同期して、前記あふれデータ検出手段で検出されたデータを、前記再書込領域に再度記録するあふれデータ再記録手段と、を備えることを特徴とする。
【０００９】
かかる構成により、磁気記録媒体再生装置は、パルス電流を供給することで磁気記録媒体の磁性細線中をその細線方向に１つのデータを記録された領域がこの領域の距離ずつ移動して、データ再生のための固定された領域である読出領域におけるデータが順番に入れ替わるので、スピンドルモータ等の回転駆動手段によることなく、磁気記録媒体本体を固定した状態で高速でデータを移動させることができる。そして、データ再生手段により、読出領域に移動したデータが再生される。さらに、あふれデータ検出手段により、磁性細線の先端部に移動したデータが検出される。そして、検出されたデータは、あふれデータ再記録手段により、磁性細線の後端部に再度記録される。これにより、磁壁（磁区）の移動によるデータの消失が防止される。なお、先端部とは、磁壁の移動が終了する側（パルス電流の供給を開始する側）である磁性細線の一端側の端部をいい、後端部とは、磁壁の移動が開始する側である磁性細線の他端側の端部をいう。
【００１０】
本発明の請求項２に係る磁気記録媒体再生装置は、前記あふれデータ検出手段は、当該あふれデータ検出手段から、前記あふれデータ再記録手段に、前記あふれデータ検出手段で検出されたデータを伝送し、前記あふれデータ再記録手段は、前記あふれデータ検出手段から伝送されたデータを、前記再書込領域に再度記録することを特徴とする。
【００１１】
かかる構成により、あふれデータ検出手段からあふれデータ再記録手段へデータが伝送されることで、複雑な機構を用いずに、データの伝送を容易に行うことが可能となる。
【００１２】
本発明の請求項３に係る磁気記録媒体再生装置は、さらに、磁気記録媒体が、円盤形状の基板に磁性細線が円環状に形成され、磁性細線が円環の一部を欠いた形状であることが好ましい。
かかる構成により、磁気記録媒体を従来公知の記録媒体と同様の外形とし、また磁気記録媒体の大きさが制限されても、磁性細線を屈曲させることなく基板上に長く連続した形状とすることができるので、磁気記録媒体再生装置を大型化する必要がない。
【００１３】
本発明の請求項４に係る磁気記録媒体再生装置は、さらに、前記磁性細線の幅が、２００ｎｍ以下であることが好ましい。
かかる構成により、磁性細線の長手方向に磁区が区切れやすくなり、また、磁区の移動速度が向上する。
【００１４】
また、本発明の請求項５に係る磁気記録媒体再生装置は、前記磁性細線において、前記磁壁の移動方向に対して、前記データ再生手段の手前側の位置に予め定めた書込領域に接続し、前記パルス電流に同期して、前記書込領域にデータを記録するデータ記録手段をさらに備えることを特徴とする。
【００１５】
かかる構成により、磁気記録媒体再生装置は、任意のデータの記録を行う記録装置としての機能も有する。
【００１６】
本発明の請求項６に係る磁気記録媒体は、請求項１ないし請求項４のいずれか一項に記載の磁気記録媒体再生装置に用いられる磁気記録媒体であって、前記磁気記録媒体再生装置から脱着可能であり、前記磁性細線と共に、前記データ再生手段を構成するデータ再生用素子と、前記あふれデータ検出手段を構成するあふれデータ検出用素子と、前記あふれデータ再記録手段を構成するあふれデータ再記録用素子と、を備えて構成されていることを特徴とする。
また、本発明の請求項７に係る磁気記録媒体は、請求項５に記載の磁気記録媒体再生装置に用いられる磁気記録媒体であって、前記磁気記録媒体再生装置から脱着可能であり、前記磁性細線と共に、前記データ記録手段を構成するデータ記録用素子と、前記データ再生手段を構成するデータ再生用素子と、前記あふれデータ検出手段を構成するあふれデータ検出用素子と、前記あふれデータ再記録手段を構成するあふれデータ再記録用素子と、を備えて構成されていることを特徴とする。
【００１７】
かかる構成により、磁気記録媒体再生装置から脱着可能であり、交換可能な磁気記録媒体とすることができる。
【００１８】
また、本発明に係る磁気記録媒体再生方法は、基板上に磁性体を細線状に形成してなる磁性細線をデータの記録領域として有して、前記磁性細線に、２値のデータを異なる２方向の磁化のいずれかとして当該磁性細線の細線方向に連続して記録された磁気記録媒体の、前記磁性細線に記録されているデータを再生する磁気記録媒体再生装置の磁気記録媒体再生方法であって、電流供給工程と、データ再生工程と、あふれデータ検出工程と、あふれデータ再記録工程と、を行う。
【００１９】
かかる方法によれば、電流供給工程により、前記磁気記録媒体の前記磁性細線の両端に接続した電流供給手段によって、前記磁性細線において前記２値の一方のデータを記録された領域と前記２値の他方のデータを記録された領域との間に生成している磁壁を断続的に移動させるパルス電流が、前記磁性細線の一端から他端に向かう細線方向に供給される。次に、データ再生工程により、前記磁性細線に予め定めた読出領域に接続したデータ再生手段によって、前記パルス電流に同期して、前記読出領域に記録されているデータが再生される。そして、あふれデータ検出工程により、前記磁性細線の前記一端側の端部に予め定めたあふれデータ検出領域に接続したあふれデータ検出手段によって、前記パルス電流に同期して、前記あふれデータ検出領域に記録されているデータが検出される。次に、あふれデータ再記録工程により、前記磁性細線の前記他端側の端部に予め定めた再書込領域に接続したあふれデータ再記録手段によって、前記パルス電流に同期して、前記あふれデータ検出工程で検出されたデータが、前記再書込領域に再度記録される。
これにより、スピンドルモータ等の回転駆動手段によることなく、磁気記録媒体本体を固定した状態でデータを再生することができる。また、磁気記録媒体のデータの再生において、磁壁（磁区）の移動によるデータの消失が防止される。
【発明の効果】
【００２０】
本発明に係る磁気記録媒体再生装置によれば、磁区の移動によるデータの消失を防ぐことができるため、磁性細線の記録層における空き容量を減少させることができる。また、磁性細線を使用し、磁区を移動させることで、データの再生を行うことができるため、ディスクを回転駆動させずに、転送レートを向上させることができる。さらに、磁性細線を面内に複数配列させた磁気記録媒体を、垂直方向にも複数枚積み重ねることにより、体積によって記録容量を増大させることができるため、ハイビジョン画像のような高密度データで構成される情報を少ない枚数で記録することができる。
【００２１】
本発明に係る磁気記録媒体によれば、磁気記録媒体を脱着可能なものとして、前記磁気記録媒体再生装置に用いることができる。
【００２２】
本発明に係る磁気記録媒体再生方法によれば、磁区の移動によるデータの消失を防ぐことできるため、磁性細線の記録層における空き容量を減少させることができる。また、磁性細線を使用し、磁区を移動させることで、データの再生を行うことができるため、ディスクを回転駆動させずに、転送レートを向上させることができる。
【図面の簡単な説明】
【００２３】
【図１】本発明の一実施形態に係る磁気記録媒体再生装置を説明するための概略構成図である。
【図２】（ａ）は、本発明の一実施形態に係る磁気記録媒体再生装置の構成を模式的に説明する平面図、（ｂ）は、本発明の一実施形態に係る磁気記録媒体再生装置に内蔵される磁気記録媒体の構成を模式的に説明する平面図である。
【図３】磁気記録媒体の磁性細線における磁区の移動を模式的に説明するトラック長方向の断面図である。
【図４】磁気記録媒体を構成する磁性細線、および、データ記録手段、データ再生手段の断面を示す模式図である。
【図５】あふれデータ検出手段により検出されたデータが、あふれデータ再記録手段に伝送されて、再度記録されることについて説明する説明図である。
【発明を実施するための形態】
【００２４】
以下、本発明に係る磁気記録媒体再生装置（以下、適宜「再生装置」）、磁気記録媒体、および、磁気記録媒体再生方法（以下、適宜「再生方法」）を実現するための形態について図を参照して説明する。
【００２５】
≪磁気記録媒体再生装置≫
図１、図２（ａ）に示すように、磁気記録媒体再生装置（再生装置）２００は、磁性細線（トラック）５を備える磁気記録媒体１００におけるトラック５の一端から他端に向かう細線方向（長さ方向）に電流を供給して、トラック５の他端から一端に向かう細線方向に沿って、磁壁ＤＷ（Domain Wall）および、後記するデータ領域（最小データ領域）である、磁壁ＤＷで区切られる磁区Ｄを移動させることで、データ（情報）の再生や記録を行うものである。そして、再生装置２００は、電流供給手段（電流供給部）１０と、データ再生手段３０と、あふれデータ検出手段４０と、あふれデータ再記録手段５０と、を主に備えている。さらに、データ記録手段２０を備えることで、新たなデータを記録することができる。再生装置２００において、磁気記録媒体１００は、現行のＤＶＤ（Digital Versatile Disc）再生装置のように脱着可能（交換可能）としても、現行のＨＤＤ装置と同様に非可換としてもよい。なお、図１は、図２（ａ）の構成を模式的に図示したものである。ここで、図１は上部から見た平面図であるが、便宜上、磁性細線５の膜厚方向において上向きの磁化は、紙面上、上向きの矢印で示し、磁性細線５の膜厚方向において下向きの磁化は、紙面上、下向きの矢印で示している。以下、再生装置（記録再生装置）２００の一例として、データ記録手段２０を備えた再生装置（磁気記録媒体記録再生装置）２００について説明する。
【００２６】
≪磁気記録媒体≫
磁気記録媒体１００は、基板７（図１では、省略）上に磁性体を細線状に形成してなる磁性細線５をデータの記録領域として有して、磁性細線５に、２値のデータを異なる２方向の磁化のいずれかとして磁性細線５の細線方向に連続して記録されたものである。なお、磁化は磁性細線５の面内方向と垂直方向のどちらでもよいが、垂直方向がより好ましい。
【００２７】
また、磁気記録媒体１００は、磁性細線５と共に、データ記録手段２０を構成するデータ記録用素子（図４に示す「下部電極２１、中間層２２、上部電極２３」）と、データ再生手段３０を構成するデータ再生用素子（図４に示す素子系Ａ）と、あふれデータ検出手段４０を構成するあふれデータ検出用素子（図４に示す素子系Ａに相当）と、あふれデータ再記録手段５０を構成するあふれデータ再記録用素子（図４に示す「下部電極２１、中間層２２、上部電極２３」に相当）と、を備えた構成として、再生装置２００から脱着可能なものとしてもよい。なお、データ記録手段２０を設けない場合は、データ記録用素子は設けなくてもよい。
【００２８】
再生装置２００から脱着可能とした場合は、後記するように、例えば、データ記録用素子等と、再生装置２００に設けられた書込回路２４、読取回路３６等（図４参照）の制御系とを配線で接続せずに、磁気記録媒体１００に電極パッドを設け、磁気記録媒体１００の外部に設けた前記制御系の電極コンタクト部に押し付ける等の方法で外部と信号のやり取りをする。また、電極パッドを介して、電極５２，５３（図２（ｂ）参照）と電流供給手段１０とを接続する。なお、書込回路２４、読取回路３６等も、データ記録用素子等の前記各素子と共に磁気記録媒体１００に設け、磁気記録媒体１００がデータ記録手段２０等の前記各手段を備える構成としてもよい。
【００２９】
磁気記録媒体１００の形状は特に限定されるものではないが、図２（ｂ）に示すように、基板７を円盤形状とし、この基板７上に磁性細線５を円環状（同心円状）に形成して、磁性細線５を円環の一部を欠いた形状とすることが好ましい。なお、図２（ｂ）では、便宜上、データ記録用素子等は省略している。
磁性細線５が矩形等の角がある形状であると、その角に磁区Ｄ（磁壁ＤＷ）がトラップされ、自由な動きが阻害され易くなるが、磁性細線５を円環状に形成することで、磁区Ｄが滑らかに動き易くなる。また、磁性細線５の円環の一部を切り欠くことで、磁性細線５の先端部と後端部を形成することができ、磁性細線５を電流供給手段１０に接続することができる。さらに、磁気記録媒体１００の大きさが制限されても、磁性細線５を屈曲させることなく基板７上に長く連続した形状とすることができるので、再生装置２００を大型化する必要がない。ここでは、円盤状の磁気記録媒体１００を例にして、その構成について説明する。
【００３０】
なお、本実施形態において、磁気記録媒体１００は、その外形が現行の磁気ディスク等と同様に円盤形状であるので、適宜磁気ディスク１００と称し、磁気ディスク１００において、磁性細線５のそれぞれは、図２（ｂ）に示すように平面視で円環の一部を欠いたＣ字型であり、現行の磁気ディスクや光磁気ディスクのデータの記録領域であるトラックの形状に類似するため、適宜「トラック」と称する。
【００３１】
図２（ｂ）に示すように、本発明の一実施形態に係る再生装置２００で再生されるデータを格納されている磁気ディスク１００は、現行の磁気ディスクや光磁気ディスクと同様に円盤状の基板７をベースとして、表面（上面）にデータの記録（格納）領域として複数の磁性細線５，５，…が同心円状（円環状）に形成されている。それぞれの磁性細線５には、その長さ方向（細線方向）の所定の単位長さ（データ長）毎に、２値のデータ、すなわち「０」または「１」のデータを、磁性細線５の膜厚方向に対して、もしくは長手方向に対して、一方向またはその反対方向の磁化の磁区として記録されている。この磁性細線５の、１つのデータを格納された単位領域をデータ領域と称する。さらに、磁気ディスク１００は、前記したように磁性細線５中でデータ領域を移動させるため、磁性細線５，５，…には、その両端に一対の電極５２，５３が接続され、円盤状の基板７の上に絶縁層６を介して形成されている。
【００３２】
次に、磁気記録媒体１００の磁性細線５について、説明する。
［磁性細線］
磁性細線５は、磁気記録媒体１００にデータを記録するための記録領域である。磁気ディスク１００の磁性細線（トラック）５は強磁性材料からなり、特に膜面に垂直な方向の磁化を有し、例えば、垂直磁気異方性材料で形成されることが好ましい。そして、磁性細線５は、具体的にはＮｉ、Ｆｅ、Ｃｏ等の遷移金属やその合金、Ｐｄ、Ｐｔ等との積層膜を用いて形成されることが挙げられる。磁性細線５の厚さ（膜厚）は５〜１００ｎｍ、幅（磁気ディスク１００の径方向長さ）は１０〜２００ｎｍ、磁性細線５，５間は４０〜２００ｎｍが好ましく、幅および間隔が短いほど、いわゆるトラックピッチが狭いほど磁気ディスク１００の記録容量を大きくできる。また、磁性細線５の長さ方向長（トラック長）は、特に制限しないが、厚さおよび幅方向長に対して十分に長いものであればよい。さらに、磁気ディスク１００におけるすべての磁性細線５が同じ長さでなくてもよいが、同時にデータを再生する（磁気を検出する）隣り合う所定本数の磁性細線５（以下、適宜「並列再生する磁性細線５」）同士は長さを揃えることが好ましい。磁気ディスク１００では、磁性細線５が外周寄りほど長くなるので一律ではないが、厚さおよび幅方向長に対して十分に長いものであればよい。
【００３３】
磁性細線５の両端には、一対の電極５２，５３が接続されているが、電極５２，５３は、Ｃｕ，Ａｌ，Ａｕ，Ｐｔ，Ａｇ等の金属やその合金のような一般的な電極用金属材料からなる。図２（ｂ）ではそれぞれの磁性細線５の両端における当該磁性細線５上に積層されて設けられているが、並列再生する場合には、並列再生する磁性細線５の両端で並列に接続してもよい。また、電極５２，５３は、裏面（下面）に形成されてもよく、その場合は、電流供給手段１０へ電気的に接続可能となるように基板７の一部が除去されて、図２（ｂ）における電流供給手段１０は磁気ディスク１００の下面に接続される。なお、磁性細線５の下側が、磁性細線５の磁気特性を制御するための配向制御層、上側が、データを記録するための記録層となる（図４参照）。
【００３４】
ここで、磁性細線５の幅は、２００ｎｍ以下とするのが好ましいが、これは、磁性細線５の幅を２００ｎｍ以下とすることで、磁性細線５の長手方向に磁区Ｄが区切れやすくなり、かつ幅方向には複数の磁区Ｄが存在できなくなるため、また、磁壁ＤＷ（磁区Ｄ）の移動速度が向上する（約１５０ｍ／ｓにまで向上させることができる）ためである。
また、磁気記録媒体１００の平坦性の観点から、磁性細線５は、絶縁層６に埋設されていることが好ましい。
【００３５】
［磁気記録媒体の製造方法］
次に、磁気記録媒体１００の製造方法の一例について、適宜、図１〜４を参照して説明する。
磁気記録媒体１００は、例えば以下に示すように、磁性細線（トラック）５をダマシン法にて形成することで製造できる。まず、表面を熱酸化したＳｉ基板やガラス基板等の公知の基板材料からなる基板７上に、ＳｉＯ2やＡｌ2Ｏ3等の絶縁膜をスパッタリング法等の公知の方法により成膜し、この絶縁膜に電子線リソグラフィーおよびイオンミリングや反応性イオンエッチング（ＲＩＥ）等のエッチングで磁性細線５，５，…の形状の溝を形成して絶縁層６とする。その際、データ記録手段２０の下部電極２１を形成する部位には、下部電極２１を形成できるように、さらに深い溝を形成する。そして、この下部電極２１を形成する部位の溝を埋め込むように、スパッタ法等により、Ｃｕ等の導電材料を、膜厚４００ｎｍ程度に堆積する。そして、堆積した導電材料の表面をＣＭＰ（Chemical Mechanical Polishing：化学機械研磨）法により研磨して平坦化し、導電材料で充填してなる下部電極２１を形成する。
続いて、この絶縁層６の上に磁性材料をスパッタリング法等の成膜方法にて溝に堆積させた後、表面をＣＭＰ等で溝内以外の強磁性材料を除去して磁性細線５，５，…とする。なお、磁性細線５については、配向制御層１をスパッタ等により堆積したのち、同一真空中で記録層２も堆積する。配向制御層１は、磁性細線５の原子配列をうまく調整して、磁気特性を最適な状態に保つために設置するものである。配向制御層１の材料としては、例えば、Ｔａ、Ｗ、Ｓｉ、Ｃｕ、Ｒｕ、Ｃｒ、Ｐｔ、Ａｕ等を使用することができる。
【００３６】
次に、磁性細線５の一部を切り欠き、磁性細線５の両端を露出させ、磁性細線５の両端に、電極用金属材料をスパッタリング法等により成膜、フォトリソグラフィおよびエッチング、またはリフトオフ法等により加工して、電極５２，５３とする。そして、電極５２，５３、書込領域２９、読出領域３９、あふれデータ検出領域４９、再書込領域５９を除いて樹脂等で表面を被覆する。あるいは、磁性細線５を、その下地の絶縁膜（絶縁層６）を成膜した後にリフトオフ法にて形成し、その後に磁性細線５，５間に絶縁層６を堆積させてもよい。
【００３７】
そして、書込領域２９に、中間層２２、上部電極２３をスパッタ法等により逐次成膜する。また、読出領域３９に、下部電極３１、磁化反転層３２、中間層３３、磁化固定層３４、上部電極３５をスパッタ法等により逐次成膜する。
なお、再書込領域５９にも、書込領域２９に製膜した場合と同様に、中間層、上部電極をスパッタ法等により逐次成膜し、あふれデータ検出領域４９にも、読出領域３９に製膜した場合と同様に、下部電極、磁化反転層、中間層、磁化固定層、上部電極をスパッタ法等により逐次成膜する。
【００３８】
＜電流供給手段＞
電流供給手段（電流供給部）１０は、磁気記録媒体１００の磁性細線５の両端に接続し、磁性細線５において２値の一方のデータ（例えば、「０」）を記録された領域と２値の他方のデータ（例えば、「１」）を記録された領域との間に生成している磁壁ＤＷ（磁区Ｄ）を、実質的に、断続的に移動させるパルス電流を、磁性細線５の一端から他端に向かう細線方向（長さ方向）に供給する手段である。すなわち、磁気記録媒体１００の各磁性細線（トラック）５の両端に設けられた電極５２，５３（図２（ｂ）参照）に接続して、パルス電流を磁性細線５へその細線方向に供給する。このパルス電流により、後記するように、磁性細線５中をデータを記録された領域が当該磁性細線５の細線方向（パルス電流とは逆方向）に沿って移動する。すなわち、本発明に係る再生装置および再生方法においては、磁気ディスク１００はこのようにそれ自体が駆動するものではない。なお、ここでいう移動とは、磁性細線５に生成された磁壁ＤＷが、パルス電流の供給に同期して、磁性細線５中を移動することをいう。移動の具体例は後記する。
【００３９】
なお、制御部８（図１参照）は、制御部８が備えるＣＰＵにより、データを再生する磁性細線５を選択し、それに合わせて電流供給手段１０に電流を供給する磁性細線５を指示する。例えば、磁性細線５が複数の場合、制御部（制御手段）８は、磁気ディスク１００のトラック（磁性細線）５，５，…から、次に再生しようとするデータが格納されている隣り合う所定本数（２本以上）のトラック５、例えば、４本のトラック５を選択する。選択するトラック５は、例えば１回目の選択であれば、磁気ディスク１００の最外周から１〜４番目のトラック５を選択するように、また２回目以降であれば、直前に再生された４本のトラック５に隣り合う、次の隣り合う４本を選択するように設定されていてもよい。あるいは、再生装置２００外部からの操作により、任意のトラック５から隣り合う４本を選択できるように設定されていてもよい。このように、トラック（磁性細線）５の選択手段により、データを再生するトラック５を選択すればよい。
【００４０】
次に、磁気記録媒体１００の磁性細線（トラック）５におけるデータ領域の移動について、図３を参照して説明する。
本実施形態においては、磁性細線５は垂直磁気異方性材料からなり、その磁化方向は上または下を示すため、データ「０」は下方向の磁化、「１」は上方向の磁化として、所定の単位長さ（データ長）のデータ領域に記録されているとする。この、磁性細線５に記録されている「０」、「１」のデータを格納データと称する。ここでは、１本の磁性細線５について、図３（ａ）に示すように、再生領域（読出領域あるいはあふれデータ検出領域）５ROに存在している第ｍ番目のデータ領域（データ領域ｍ）から４つの連続した格納データとして、「１００１」が記録されている領域を採り上げて説明する。磁性細線５におけるデータ領域ｍ〜ｍ＋３の領域は、磁化方向が上、下、下、上であるため、データ領域ｍに対応する磁区Ｄ１、データ領域ｍ＋１とデータ領域ｍ＋２の２つの連続する格納データに対応する磁区Ｄ２、データ領域ｍ＋３に対応する磁区Ｄ３、の３つの磁区が形成されている。データ長は、磁性細線５の幅および厚さにもよるが１０〜２００ｎｍが好ましく、短いほど磁気ディスク１００の記録容量を大きくでき、またトラック（磁性細線）５の１本における再生速度を速くすることができる。また、データ長は、磁性細線５毎に異なる長さとしてもよいが、１回の再生にて並列再生する所定本数の磁性細線５同士では同じ長さとすることが好ましい。
【００４１】
磁性細線５の、磁化方向の異なる磁区Ｄ１，Ｄ２間（データ領域ｍ，ｍ＋１間）および磁区Ｄ２，Ｄ３間（データ領域ｍ＋２，ｍ＋３間）には、それぞれ磁壁ＤＷ１，ＤＷ２が生成される。すなわち、磁性細線５において、データ「０」を記録された領域とデータ「１」を記録された領域との間には磁壁が生成される。磁壁ＤＷ１内では磁区Ｄ１の磁化方向（上方向）から磁区Ｄ２の磁化方向（下方向）へと磁化が徐々に変化すなわち回転しており、磁壁ＤＷ２においても同様に磁化が回転している。磁壁ＤＷ１，ＤＷ２の領域の長さ（磁性細線５の長さ方向長）は、磁性細線５の幅および厚さならびにデータ長にもよるが、５〜１００ｎｍ程度になる。
【００４２】
図３（ａ）においては、磁性細線５の再生領域５ROに磁区Ｄ１があるため、上向きの磁化が検出されて、データ領域ｍの格納データ「１」が再生データとなる。なお、磁化の検出方法の詳細は後記する。この磁性細線５に、図３（ｂ）に示すように、その両端の電極５２，５３から、紙面上、左方向に所定の大きさの電流を供給して、紙面上、右方向に電子を注入する。すると、電子スピンのトルクに影響されて、磁壁ＤＷ１，ＤＷ２がそれぞれ、紙面上、右へ移動する。そして、磁壁ＤＷ１，ＤＷ２が１データ長の距離を移動するまでの時間ｔH電流を供給して、電流の供給を停止すると、図３（ｃ）に示すように、磁性細線５の再生領域５ROに磁区Ｄ２が移動してきているため、下向きの磁化が検出されて、データ領域ｍ＋１の「０」が再生データとなる。再び磁性細線５に左方向に電流を時間ｔH供給して、磁壁ＤＷ１，ＤＷ２をさらに右へ１データ長移動させて電流の供給を停止すると、磁区Ｄ２はデータ領域ｍ＋１，ｍ＋２の２データ長の長さであるため、図３（ｄ）に示すように、磁性細線５の再生領域５ROには引き続き磁区Ｄ２が配置して下向きの磁化が検出され、データ領域ｍ＋２の「０」が再生データとなる。また、さらに磁性細線５に電流を時間ｔH供給すると、磁性細線５の再生領域５ROに磁区Ｄ３が移動してくるため、上向きの磁化が検出されて、データ領域ｍ＋３の「１」が再生データとなる（図示省略）。
【００４３】
このように、磁性細線５への電流の所定時間の供給と停止とを繰り返すことで、磁壁すなわちその両側の磁区を一定の距離ずつ移動させては停止させることができる。すなわち、パルス幅（電流供給時間ｔH）を調整してパルス電流を供給することで、トラック（磁性細線）５におけるデータ領域を１データ長ずつ長さ方向（細線方向）にシフトさせて固定された再生領域５ROのデータ領域を順番に入れ替えることができる。このようにして、パルス電流に同期して、データの再生を行うことができる。なお、パルス電流における電流の停止時間ｔLは後記の磁気の検出に要する時間以上に設定すればよい。電流の大きさについては、磁性細線５の断面積あたりの電流密度を大きくすると磁壁移動速度が速くなるので、磁性細線５の幅と厚さ、および再生速度に基づいて設定し、磁壁移動方向と逆の一定の向きに電流を供給するため正または負のいずれかの直流とする。具体的には、電流密度１０５〜１０１３Ａ／ｍ２、パルス幅ｔH１ｐｓ〜１０μｓ、停止時間ｔL１０ｐｓ〜１０μｓの範囲で調整することが好ましい。
【００４４】
＜データ記録手段＞
データ記録手段２０は、磁性細線５に予め定めた書込領域２９（図１参照）に接続し、パルス電流に同期して、書込領域２９にデータを記録する手段であり、従来のハードディスク装置における書き込みと同様な信号処理によって、生成されたデータを磁性細線５へ記録する手段である。すなわち、磁性細線５に固定されている書込領域２９において、電流供給手段１０が供給するパルス電流に同期して、磁性細線５において磁壁ＤＷの断続的な移動における静止時に、磁性細線５の書込領域２９に到達しているデータ領域にデータを記録する手段である。データ記録手段２０では、スピン注入磁化反転を用いて、磁性細線５の磁区状態を変化させることで、データの書き込みを行う。これにより、磁性細線５にデータが記録され、磁性細線５は磁気記録媒体１００の記録領域となる。
【００４５】
図１、図２（ａ）に示すように、データ記録手段２０は、磁壁ＤＷの移動方向に対して、データ再生手段３０の手前側の任意の所定位置、すなわち、データ再生手段３０よりも前方（他端側の方向）の磁性細線５の一部を含む所定の領域に配置されている。そして、図４に示すように、データ記録手段２０は、磁性細線５の配向制御層１の下部に位置する下部電極２１と、磁性細線５の記録層２の上部に位置する中間層２２および上部電極２３と、下部電極２１および上部電極２３に配線を介して接続された書込回路２４とを備えている。なお、前記したように、磁気記録媒体１００を脱着可能とする場合には、例えば、書込回路２４を配線で接続せずに、磁気記録媒体１００の電極パッドと、書込回路２４の電極コンタクト部との接触により、外部と信号のやり取りをする。
【００４６】
すなわち、データ記録手段２０は、下部電極２１（２０ａ）、中間層２２（２０ｂ）、上部電極２３（２０ｃ）、書込回路２４（２０ｄ）から構成される（図４では、便宜上、磁性細線５を含めてデータ記録手段２０と符号を付している）。また、下部電極２１、中間層２２、上部電極２３によって、データ記録用素子が構成される。なお、ここでは、上部電極２３が磁性層、下部電極２１が金属層である。そして、データ記録手段２０のデータ記録用素子は、磁性細線５と一体となって、ＣＰＰ−ＧＭＲ（Current Perpendicular to Plane - Giant MagnetoResistance）素子型またはＴＭＲ（Tunneling MagnetoResistance）素子型の構造をもつスピン注入磁化反転素子構造を構成し、データ書込素子として機能する。
【００４７】
ここで、下部電極２１と配向制御層１、中間層２２と記録層２の間は、接している方が好ましいが、トンネル電子が流れる程度のわずかな距離であれば、離れていてもよい。離れている場合には、ＴＭＲ素子の絶縁層のようなものが挟まっている状態と同様な状態であるといえる。ＴＭＲ素子でも、スピン注入磁化反転は起こるためである。すなわち、「書込領域２９に接続」とは、このようなわずかに離れている状態も含むものである。
【００４８】
また、下部電極２１の材料としては、抵抗率の低いＡｕ、Ａｇ、Ｃｕ等の金属材料とする。上部電極２３は、現在スピン注入磁化反転について研究されている材料であれば、ほぼどのような材料でも使用可能であり、例えばＣｏ−Ｆｅ合金、Ｃｏ２ＦｅＳｉ等のホイスラー合金等が挙げられる。さらに上部電極２３は、抵抗率の低い垂直磁気異方性材料であり、スピン偏極率が高い材料であることが好ましく、さらに記録層２よりも膜厚を大きく設定し、容易に磁化反転が起こらない構造とする。また中間層２２の材料は、ＣＰＰ−ＧＭＲ素子でよく使用されている、ＣｕやＡｇが好ましいが、ＴＭＲ素子で利用されているＡｌ２Ｏ３やＭｇＯであってもよい。
なお、データ記録手段２０は、前記構成に限定されず、データの記録（書き込み）ができるものであれば、従来公知の磁気ヘッドを用いてもよい。また、磁性細線５におけるデータ記録手段２０の位置も、データ再生手段３０の手前であり、データの記録、再生、あふれ検出、再記録を阻害しない位置であれば、どの位置でもよい。
【００４９】
次に、データの記録方法について、具体的に説明する。
まず、磁壁移動電流として所定のパルス電流を電流供給手段１０からトラック（磁性細線）５に供給し、磁区Ｄを区切る磁壁ＤＷを移動させ、記録を行いたい磁区Ｄ（所望のデータ領域（単一あるいは連続した複数のデータ領域））をデータ記録手段２０（データ書込素子）の上部電極２３（中間層２２）の直下（書込領域２９）まで移動させる。書込領域２９は、磁性細線５の磁区状態をスピン注入磁化反転により変化させるための領域であり、磁性細線５において１つのデータ領域に含まれる長さとする。書込領域２９の位置は、当該磁性細線５（磁気ディスク１００）において固定され、磁気ディスク１００のすべてのトラック（磁性細線）５において、隣り合う磁性細線５，５における書込領域２９が互いに近接するように設けられる。
次に、磁壁ＤＷは、パルス電流に同期して、すなわち、パルス電流のパルスに合わせて、移動と停止を繰り返すが、この断続的な移動における静止時に、書込回路２４からスピン電流を下部電極２１および上部電極２３を介して、磁性細線５に供給する。これにより、スピン電流の印加方向に対応して、データ記録手段２０の上部電極２３（中間層２２）の直下に位置する磁性細線５のデータ領域が上向きまたは下向きに磁化され（制御され）、例えば１つのデータ領域に１ビット（０または１）のデータが記録される。
【００５０】
具体的には、上部電極２３が上方向の磁化を持つ場合には、データ記録手段２０において、伝導電子が上部電極２３から下部電極２１へ供給された場合、上部電極２３の磁化方向に伝導電子のスピンが整列され、そのまま磁性細線５の記録層２へ注入される。したがって、スピン注入磁化反転によって、記録層２には、上向きの磁化が書き込まれる。
すなわち、上部電極２３から下部電極２１へ供給された電子は、上部電極２３の磁化方向と同じ方向の磁気モーメントを有するスピン（すなわち、上方向）を持ち、磁区Ｄに流入する。このスピンの持つ角運動量が、磁区Ｄに伝達され、磁区Ｄ中の局在する原子の磁気モーメントに作用し、磁区Ｄの磁化を上部電極２３の磁化方向と同じ方向に反転させることができる。
【００５１】
逆に、下部電極２１から上部電極２３へ電子が供給された場合には、上部電極２３の磁化方向と逆方向に伝導電子のスピンが整列され、スピン注入磁化反転の原理にしたがって、記録層２には、下向きの磁化が書き込まれる。
すなわち、上部電極２３の磁化方向と同じ方向の磁気モーメント有するスピン（すなわち、上方向）を持つ電子は、上部電極２３を容易に通過できるのに対して、上部電極２３の磁化方向と逆方向の磁気モーメントを有するスピン（すなわち、下方向）を持つ電子は、記録層２と上部電極２３との界面において高い確率で反射される。その後、上部電極２３の磁化方向と逆方向の磁気モーメントを有するスピンを持つ電子は、磁区Ｄに戻る。そして、この電子は、磁区Ｄの局在する原子の磁気モーメントに作用して、磁区Ｄの磁化を上部電極２３の磁化と逆方向に反転させる。
【００５２】
磁化されたデータ領域は、磁壁移動電流として所定のパルス電流が電流供給手段１０から磁性細線５に供給されることにより、磁性細線５中を移動し、引き続き所望のデータ領域が前記のように磁化されてゆく。
【００５３】
＜データ再生手段＞
データ再生手段３０は、磁性細線５に予め定めた読出領域３９（図１参照）に接続し、パルス電流に同期して、読出領域３９に記録されているデータを再生する手段である。すなわち、磁性細線５に固定されている読出領域３９において、電流供給手段１０が供給するパルス電流に同期して、磁性細線５において磁壁ＤＷの断続的な移動における静止時に、磁性細線５の読出領域３９に到達しているデータ領域に記録されているデータを再生する手段である。データ再生手段３０は、ＣＰＰ−ＧＭＲ素子やＴＭＲ素子を用いて、磁性細線５の磁区状態を検出することで、データの読み出しを行う。
【００５４】
図１、図２（ａ）に示すように、データ再生手段３０は、磁壁ＤＷの移動方向に対して、データ記録手段２０の後方の任意の所定位置、すなわち、データ記録手段２０よりも後方（一端側の方向）の磁性細線５の一部を含む所定の領域に配置されている。また、あふれデータ検出手段４０よりも前方（他端側の方向）の任意の所定位置に配置されている。そして、図４に示すように、データ再生手段３０は、データ再生用素子（素子系Ａ）と読取回路３６とを備え、素子系Ａは、下部電極３１と、下部電極３１上に設けられた磁化反転層３２と、磁化反転層３２上に設けられた中間層３３と、中間層３３上に設けられた磁化固定層３４と、磁化固定層３４上に設けられた上部電極３５とを備えており、下部電極３１および上部電極３５が配線を介して読取回路３６と接続されている。なお、前記したように、磁気記録媒体１００を脱着可能とする場合には、例えば、読取回路３６を配線で接続せずに、磁気記録媒体１００の電極パッドと、読取回路３６の電極コンタクト部との接触により、外部と信号のやり取りをする。また、下部電極３１と磁化反転層３２は区別せずに一体構造として作製してもよく、同様に上部電極３５と磁化固定層３４は区別せずに一体構造として作製してもよい。
【００５５】
ここで、磁気記録媒体１００を非可換とした場合、下部電極３１と記録層２の間は、接していてもよく、記録層２からのもれ磁束が磁化反転層３２の磁化状態を変化できる距離ならば離れていてもよい。
【００５６】
データ再生手段３０の磁化反転層３２、中間層３３および磁化固定層３４は、ＣＰＰ−ＧＭＲ素子またはＴＭＲ素子のデータ読取層として機能する。したがって、磁化固定層３４は、強磁性材料からなり、磁化方向が所定方向（長さ方向（細線方向）と垂直な方向の一方の向き（上向きまたは下向き））に固定されている。中間層３３は、非磁性材料からなる非磁性層または絶縁材料からなる絶縁層である。データ再生手段３０は、中間層３３が非磁性層の場合にはＣＰＰ−ＧＭＲ素子を備えるものとなり、中間層３３が絶縁層の場合にはＴＭＲ素子を備えるものとなる。磁化反転層３２は、強磁性材料からなり、一般的に初期状態では、その磁化方向は磁化固定層３４での磁化方向とは反対に揃えられる。データ再生手段３０では、磁性細線５の記録層２からのもれ磁束を、ＣＰＰ−ＧＭＲ素子やＴＭＲ素子で検出し、記録層２の磁化状態を再生する。
【００５７】
また、磁化反転層３２、中間層３３および磁化固定層３４の材料としては、現在、ＣＰＰ−ＧＭＲ素子やＴＭＲ素子について研究されている材料であれば、ほぼどのような材料でも使用可能である。例えば、磁化固定層３４には、ホイスラー合金（Ｃｏ２ＦｅＳｉ、Ｃｕ２ＭｎＡｌ等）等の磁性合金が用いられるが、これとＩｒＭｎ等のスピン固着層とを組み合わせた積層構造としてもよい。また、データ再生手段３０がＣＰＰ−ＧＭＲ素子を備える場合には、中間層３３には、Ａｕ，Ａｇ，Ａｌ，Ｃｕ，Ｃｕ合金等の非磁性金属または合金が好適に用いられる。このうちＣｕは、電気抵抗が小さくバリア効果が高いので、特に好適に用いられる。データ再生手段３０がＴＭＲ素子を備える場合には、中間層３３には、アルミナ（Ａｌ２Ｏ３）やマグネシア（ＭｇＯ）等の絶縁材料が好適に用いられ、その厚さは、スピン偏極電子がトンネルできる程度の厚さである数ｎｍ以下とされる。
【００５８】
磁化反転層３２は、磁化固定層３４と同じ材料で構成することもできるが、記録層２からのもれ磁束により容易に磁化方向が反転することができる材料であって、透磁率が高く保磁力が小さく、スピン偏極率が比較的高い強磁性材料を選択することが好ましい。
【００５９】
また、下部電極３１および上部電極３５は、それぞれ、スピン注入磁化反転素子を駆動するための一対の電極の一方および他方であり、例えば、Ｔａ，Ｃｒ，Ａｕ，Ｐｔ，Ａｌ，Ｃｕ等の一般的な電極用金属材料で構成することができる。
なお、データ再生手段３０は、前記構成に限定されず、データの再生（読み出し）ができるものであれば、従来公知の磁気ヘッドを用いてもよい。また、磁性細線５におけるデータ再生手段３０の位置も、データの記録、再生、あふれ検出、再記録を阻害しない位置であれば、どの位置でもよい。
【００６０】
次に、データの再生方法について、具体的に説明する。
まず、磁壁移動電流として所定のパルス電流を電流供給手段１０から磁性細線５に供給し、磁区Ｄを区切る磁壁ＤＷを移動させ、再生を行いたい磁区Ｄ（所望のデータ領域（単一あるいは連続した複数のデータ領域））をデータ再生手段３０（データ読取素子）の下部電極３１の直下（読出領域３９（再生領域））まで移動させる。読出領域３９は、磁性細線５の磁気を磁気効果により検出するための領域であり、磁性細線５において１つのデータ領域に含まれる長さとする。読出領域３９の位置は、当該磁性細線５（磁気ディスク１００）において固定され、磁気ディスク１００のすべてのトラック（磁性細線）５において、隣り合う磁性細線５，５における読出領域３９が互いに近接するように設けられる。次に、磁壁ＤＷは、パルス電流に同期して、すなわち、パルス電流のパルスに合わせて、移動と停止を繰り返すが、この断続的な移動における静止時に、読取回路３６から読取電流を素子系Ａに供給する。
【００６１】
ここで、磁化反転層３２と磁化固定層３４との間には、非磁性膜や絶縁膜からなる中間層３３が設けられている。すなわち、磁化反転層３２から磁化固定層３４に電流が流れる場合の電気抵抗は、磁化反転層３２の磁化と、磁化固定層３４の磁化との相対的な方向に依存する。ここで、磁化反転層３２の磁化は、磁区Ｄに記録されている信号磁界を受けて、その方向に回転する。その磁化方向を、前記のように磁化反転層３２と磁化固定層３４との相対的な方向に依存する電気抵抗の変化として検出することができる。
従って、再生を行いたい磁区Ｄを移動させた後、下部電極３１と上部電極３５との間に、電流を流し、電気抵抗の変化を検出する。これにより、再生を行いたい磁区Ｄに記録されている磁化方向を検出（識別）することができ、情報を再生することが可能となる。
例えば、磁化反転層３２の磁化と磁化固定層３４の磁化とが同一方向な場合の電気抵抗をＲｐとし、逆方向な場合の電気抵抗をＲａｐとすると、Ｒａｐ＞Ｒｐとなる。
このように、データ領域の磁化方向に対応した抵抗値を読取電圧として再生領域で検出することにより、このデータ領域に対応した磁区Ｄの磁化方向をデータとして読み取る。
【００６２】
なお、読み取られたデータは、予め設定されたある基準電圧と比較することによって、電圧の高低、すなわち容易に「１」、「０」のデータとして、データ読出部３７により読みだされる。そして、現在のハードディスク装置と同様な復号処理を施すことによって元のデータを取り出すことができ、再生装置２００外部に出力して、映像、音声等の情報として再生する。
【００６３】
＜あふれデータ検出手段＞
あふれデータ検出手段４０は、磁性細線５の一端側の端部に予め定めたあふれデータ検出領域４９（図１参照）に接続し、パルス電流に同期して、あふれデータ検出領域４９に記録されているデータを検出する手段である。すなわち、磁性細線５に固定されているあふれデータ検出領域４９において、電流供給手段１０が供給するパルス電流に同期して、磁性細線５において磁壁ＤＷの断続的な移動における静止時に、磁壁ＤＷの移動により、データ再生手段３０の読出領域３９を通過して、磁性細線５のあふれデータ検出領域４９に到達しているデータを検出する手段である。なお、一端側とは、磁性細線５における磁壁ＤＷ（磁区Ｄ）の移動が終了する側をいう。
【００６４】
図１、図２（ａ）に示すように、あふれデータ検出手段４０は、磁壁ＤＷの移動方向に対して、データ再生手段３０の後方（一端側の方向）であり、磁性細線５の一端側の端部の磁性細線５の一部を含む所定の領域（先端部）に配置されている。この先端部において、磁壁ＤＷの移動により、前記端部に移動したデータ（あふれデータ）を検出して、当該検出したデータをあふれデータ再記録手段５０に伝送する。なお、データの伝送は、あるプロトコルに縛られるような複雑なものである必要はなく、あふれデータ検出領域４９で検出された磁化の方向を、磁性細線５における再書込領域５９の部位に形成させることができるものであれば、どのようなものでもよい。例えば、後記するような、簡単な構成のものでよい。
【００６５】
前記したように、磁性細線５に形成された磁区Ｄは、電流供給手段１０から供給されるパルス電流により、磁性細線５の長さ方向（細線方向）に沿って移動する。そして、仮に、あふれデータ検出手段４０がなければ、データ再生手段３０の読出領域３９を通過し、磁性細線５の先端部まで磁区Ｄが移動すると、データがあふれて消失してしまう。しかし、本実施形態の再生装置２００は、あふれデータ検出手段４０を設けたので、データが消失する前にこのデータを検出することができる。そして、検出したデータ（磁化の向き）は、あふれデータ再記録手段５０に伝送される。
【００６６】
あふれデータ検出手段４０は、データ再生手段３０と同様に、ＣＰＰ−ＧＭＲ素子やＴＭＲ素子を用いて、磁性細線の磁区状態を検出する。あふれデータ検出手段４０は、磁性細線５の先端部に設ける。なお、ここでの先端部とは、例えば、磁性細線５の一端側における最端から、１０ｍｍあたりまでの範囲をいう。あふれデータ検出手段４０の構成は、データ再生手段３０と同様であるため、ここでは、詳細な説明を省略する。なお、あふれデータ検出手段４０においては、図４に示す素子系Ａは、あふれデータ検出用素子となる。
【００６７】
次に、あふれデータ検出方法について、具体的に説明する。
まず、磁壁移動電流として所定のパルス電流を電流供給手段１０から磁性細線５に供給し、磁区Ｄを区切る磁壁ＤＷを移動させ、検出を行いたい磁区Ｄ（所望のデータ領域（単一あるいは連続した複数のデータ領域））をあふれデータ検出手段４０（データ読取素子）の下部電極３１の直下（あふれデータ検出領域４９（再生領域））まで移動させる。あふれデータ検出領域４９は、磁性細線５の磁区状態をＣＰＰ−ＧＭＲ素子やＴＭＲ素子等を用いる方法により検出するための領域であり、磁性細線５において１つのデータ領域に含まれる長さとする。あふれデータ検出領域４９の位置は、当該磁性細線５（磁気ディスク１００）において固定され、磁気ディスク１００のすべてのトラック（磁性細線）５において、隣り合う磁性細線５，５におけるあふれデータ検出領域４９が互いに近接するように設けられる。その後のデータの検出方法は、前記したデータ再生手段３０によるデータの読み取り（再生）と同様である。そして、ここで検出されたデータは、あふれデータ再記録手段５０に伝送される。
【００６８】
次に、データの伝送の一例について、図５を参照して説明する。
まず、パルス電流を印加する前の状態（図５（ａ））から、パルス電流の印加により、磁区Ｄが移動すると、あふれデータ検出領域４９（検出領域）で、素子系Ａによって、磁化の状態（ここでは、上向きの磁化）が検出される（図５（ｂ））。なお、ここでは、例えば上向きの磁化の場合、素子系ＡはＨ状態を出力するものと仮定している。そして、図５（ｂ）に示すように、この出力を基準電圧比較器（図示省略）に入力して、予め設定されたある基準電圧と比較し、電圧の高低として、状態がＨ（高）であると判別した時に、電流増幅器と電流源（電流増幅器・電流源７０）を通して、上部電極５３から中間層（図示省略）を介して、下部電極５１へ電流を流す（下部電極５１は、図５（ｂ）ではグランドに接続されているが、一般的には電流源のマイナス端子に相当する）。この時、上部電極５３が上方向の磁化を持つ場合には、伝導電子が上部電極５３から下部電極５１へ供給されて、上部電極５３の磁化方向に伝導電子のスピンが整列され、そのまま磁性細線の記録層へ注入される。したがって、スピン注入磁化反転によって、電極部の磁性細線には、電子の向き（＝電流の逆）に磁化され、上向きの磁化が形成される。
【００６９】
さらに、パルス電流による磁区Ｄの移動により、検出領域で、素子系Ａによって、磁化の状態（ここでは、下向きの磁化）が検出される（図５（ｃ））。なお、ここでは、例えば下向きの磁化の場合、素子系ＡはＬ状態を出力するものと仮定している。そして、図５（ｃ）に示すように、この出力を基準電圧比較器（図示省略）に入力して、予め設定されたある基準電圧と比較し、電圧の高低として、状態がＬ（低）であると判別した時に、電流増幅器・電流源７０を通して、下部電極５１から中間層（図示省略）を介して、上部電極５３へ電流を流す（上部電極５３は、図５（ｃ）ではグランドに接続されているが、一般的には電流源のマイナス端子に相当する）。この時、下部電極５１から上部電極５３へ電子が供給されて、上部電極５３の磁化方向と逆方向に伝導電子のスピンが整列され、スピン注入磁化反転の原理にしたがって、記録層には、下向きの磁化が書き込まれる。したがって、電極部の磁性細線には、電子の向き（＝電流の逆）に磁化され、下向きの磁化が形成される。
このようにして、あふれデータ検出手段４０で検出した磁性細線５の先端部の磁化の状態を、再度、磁性細線５の後端部に形成することができる。すなわち、あふれデータ検出手段４０により検出され、伝送されたデータを、再書込領域５９において、例えば１つのデータ領域に１ビット（０または１）のデータとして再度記録することができる。
【００７０】
＜あふれデータ再記録手段＞
あふれデータ再記録手段５０は、磁性細線５の他端側の端部に予め定めた再書込領域５９（図１参照）に接続し、パルス電流に同期して、あふれデータ検出手段４０で検出されたデータを、再書込領域５９に再度記録する手段である。すなわち、磁性細線５に固定されている再書込領域５９において、電流供給手段１０が供給するパルス電流に同期して、磁性細線５において磁壁ＤＷの断続的な移動における静止時に、磁性細線５の再書込領域５９に到達しているデータ領域にデータ（あふれデータ）を再度記録する手段である。なお、他端側とは、磁性細線５における磁壁ＤＷ（磁区Ｄ）の移動が開始する側をいう。
【００７１】
図１、図２（ａ）に示すように、あふれデータ再記録手段５０は、磁壁ＤＷの移動方向に対して、データ再生手段３０の手前側（他端側の方向）であり、磁性細線５の他端側の端部の磁性細線５の一部を含む所定の領域（後端部）に配置されている。この後端部において、あふれデータ検出手段４０から伝送されたデータの記録を行う。
【００７２】
前記したように、磁性細線５の長さ方向（細線方向）に沿って移動する磁区Ｄによるデータは、あふれデータ検出手段４０により検出され、この検出されたデータが、あふれデータ検出手段４０（素子系Ａ）から、あふれデータ再記録手段５０（上部電極５３および下部電極５１）に伝送される。あふれデータ再記録手段５０は、この伝送されたデータを、磁性細線５の後端部に書き戻すことで、データを磁性細線５に再度記録する。これにより、データの消失を防ぐことができる。
【００７３】
あふれデータ再記録手段５０は、データ記録手段２０と同様に、スピン注入磁化反転を用いて、磁性細線５の磁区状態を変化させる。あふれデータ再記録手段５０は、磁性細線５の後端部に設ける。なお、ここでの後端部とは、例えば、磁性細線５の他端側における最端から、１０ｍｍあたりまでの範囲をいう。あふれデータ再記録手段５０の構成は、データ記録手段２０と同様であるため、ここでは、詳細な説明を省略する。なお、あふれデータ再記録手段５０においては、図４に示す下部電極２１、中間層２２、上部電極２３は、あふれデータ再記録用素子となる。
【００７４】
次に、データの再記録方法について、具体的に説明する。
まず、磁壁移動電流として所定のパルス電流を電流供給手段１０からトラック（磁性細線）５に供給し、磁区Ｄを区切る磁壁ＤＷを移動させ、記録を行いたい磁区Ｄ（所望のデータ領域（単一あるいは連続した複数のデータ領域））をあふれデータ再記録手段５０（データ書込素子）の上部電極（中間層）の直下（再書込領域５９）まで移動させる。再書込領域５９は、磁性細線５の磁区状態をスピン注入磁化反転により変化させるための領域であり、磁性細線５において１つのデータ領域に含まれる長さとする。再書込領域５９の位置は、当該磁性細線５（磁気ディスク１００）において固定され、磁気ディスク１００のすべてのトラック（磁性細線）５において、隣り合う磁性細線５，５における再書込領域５９が互いに近接するように設けられる。その後のデータの再書込方法は、前記したデータ記録手段２０によるデータの書き込み（記録）と同様である。
【００７５】
≪磁気記録媒体再生方法≫
次に、磁気記録媒体再生方法について、適宜、図１〜５を参照して説明する。
なお、磁気記録媒体再生方法は、前記した再生装置２００を用いて行う。
【００７６】
磁気記録媒体再生方法は、基板７上に磁性体を細線状に形成してなる磁性細線５をデータの記録領域として有して、磁性細線５に、２値のデータを異なる２方向の磁化のいずれかとして磁性細線５の細線方向に連続して記録された磁気記録媒体１００の、磁性細線５に記録されているデータを再生する方法であり、電流供給工程と、データ再生工程と、あふれデータ検出工程と、あふれデータ再記録工程と、を行う。
以下、各工程について説明する。なお、電流供給工程における磁壁ＤＷ（磁区Ｄ）の移動、データ再生工程におけるデータの再生、あふれデータ検出工程におけるあふれデータの検出および伝送、あふれデータ再記録工程におけるあふれデータの再記録については、それぞれ、再生装置２００における電流供給手段１０、データ再生手段３０、あふれデータ検出手段４０、あふれデータ再記録手段５０において説明したとおりであるので、ここでは、詳細な説明は省略する。
【００７７】
＜電流供給工程＞
電流供給工程は、磁気記録媒体１００の磁性細線５の両端に接続した電流供給手段１０によって、磁性細線５において前記２値の一方のデータ（例えば、「０」）を記録された領域と前記２値の他方のデータ（例えば、「１」）を記録された領域との間に生成している磁壁ＤＷを断続的に移動させるパルス電流を、磁性細線５の一端から他端に向かう細線方向に供給する工程である。すなわち、磁気ディスク１００の各トラック５のデータ領域を当該トラック５の長さ方向（細線方向）、すなわち磁気ディスク１００の周方向に移動させる工程である。
【００７８】
＜データ再生工程＞
データ再生工程は、磁性細線５に予め定めた読出領域３９に接続したデータ再生手段３０によって、パルス電流に同期して、読出領域３９に記録されているデータを再生する工程である。すなわち、読出領域３９（再生領域）において、データ領域の磁化方向に対応した抵抗値を読取電圧として検出することで、このデータ領域に対応した磁区Ｄの磁化方向をデータとして読み取る。そして、現在のハードディスク装置と同様な復号処理を施すことによって元のデータを取り出すことができ、再生装置２００外部に出力して、映像、音声等の情報として再生する。
【００７９】
＜あふれデータ検出工程＞
あふれデータ検出工程は、磁性細線５の一端側の端部に予め定めたあふれデータ検出領域４９に接続したあふれデータ検出手段４０によって、パルス電流に同期して、あふれデータ検出領域４９に記録されているデータを検出する工程である。
あふれデータ検出工程は、磁壁ＤＷの移動が終了する側である磁性細線５の一端側の端部（先端部）において、磁壁ＤＷの移動により、前記先端部に移動したデータを検出して、当該検出したデータを前記あふれデータ再記録工程のあふれデータ再記録手段５０に伝送する。すなわち、データ再生工程と同様にして、磁壁ＤＷ（磁区Ｄ）の移動により、磁性細線５の先端部（あふれデータ検出領域４９）に移動したデータをあふれデータ検出手段４０によって検出し、このデータを、あふれデータ再記録工程のあふれデータ再記録手段５０に伝送する。このように、データの伝送は、あふれデータ検出手段４０から、あふれデータ再記録手段５０にデータを伝送することで行うことができる。
【００８０】
＜あふれデータ再記録工程＞
あふれデータ再記録工程は、磁性細線５の他端側の端部に予め定めた再書込領域５９に接続したあふれデータ再記録手段５０によって、パルス電流に同期して、あふれデータ検出手段４０で検出されたデータを、再書込領域５９に再度記録する工程である。
あふれデータ再記録工程は、磁壁ＤＷの移動が開始する側である磁性細線５の他端側の端部（後端部）において、あふれデータ検出工程のあふれデータ検出手段４０から伝送されたデータの記録を行う。すなわち、あふれデータ検出手段４０により検出され、あふれデータ検出手段４０から伝送されたデータを、再書込領域５９において、あふれデータ再記録手段５０によってデータ領域を上向きまたは下向きに磁化することで、例えば１つのデータ領域に１ビット（０または１）のデータとして再度記録する。
【００８１】
なお、データの再生を行う前に、データ記録工程により、データの記録を行ってもよい。データ記録工程におけるデータの記録については、データ記録手段２０で説明したとおりであるので、ここでは、詳細な説明は省略する。
＜データ記録工程＞
データ記録工程は、磁性細線５に予め定めた書込領域２９に接続したデータ記録手段２０によって、パルス電流に同期して、書込領域２９にデータを記録する工程である。すなわち、書込領域２９において、あふれデータ再記録工程と同様にして、データ領域を上向きまたは下向きに磁化することで、例えば１つのデータ領域に１ビット（０または１）のデータを記録する。
【００８２】
以上、本発明の実施形態について説明したが、本発明は前記実施形態に限定されるものではなく本発明の趣旨を逸脱しない範囲で変更することができる。
例えば、磁気記録媒体１００の形状は特に限定されるものではなく、磁性細線５の細線形状（平面視形状）は、屈曲しない直線、または厚さおよび幅方向長に対して十分に緩やかな曲線であればよい。ただし、外形が円盤形状である磁気ディスク（磁気記録媒体）１００の場合は、磁気ディスク１００の外形寸法に対して十分な長さとすることができ、また製造が容易な形状として、本実施形態に係る円環（円弧）が好ましい。このような磁性細線５は、磁気ディスク１００の外周寄りに形成したものほど長くすることが可能であり、磁気ディスク１００の全体として記録領域を大きくすることができるので、前記したように同じ長さに統一しなくてよい。なお、磁気記録媒体１００は円盤形状に限らず、例えば平面視が矩形の板状でもよく、この場合は、磁性細線５のそれぞれは平行な直線状に形成すればよい。また、磁性細線５の本数も特に限定されるものではなく、１本以上であればよい。
【００８３】
さらに、データ記録手段２０、データ再生手段３０、あふれデータ検出手段４０、およびあふれデータ再記録手段５０の構成は、前記実施形態に限定されるものではなく、他の構成のＣＰＰ−ＧＭＲ素子やＴＭＲ素子の形態を用いてもよい。例えば、磁化固定層３４の上部に保護層を設けたもの等が挙げられる。
その他、あふれデータ検出手段４０およびあふれデータ再記録手段５０を設ける位置は、それぞれ、磁性細線５の先端部および後端部としたが、データの記録、再生、あふれ検出、再記録を阻害しない位置であれば、適宜、他の部位に設けてもよい。
【符号の説明】
【００８４】
５      磁性細線（トラック）
１０    電流供給手段
２０    データ記録手段
３０    データ再生手段
４０    あふれデータ検出手段
５０    あふれデータ再記録手段
１００  磁気記録媒体（磁気ディスク）
２００  磁気記録媒体再生装置（再生装置）
Ｄ      磁区
ＤＷ    磁壁
【図１】
2011123943.tif 000003
【図２】
2011123943.tif 000004
【図３】
2011123943.tif 000005
【図４】
2011123943.tif 000006
【図５】
2011123943.tif 000007